(57)【要約】【課題】出荷者から入荷者に向けて出荷された後、出荷者に返却されることが予定されている各物品につき、出荷から所定期間内で返却される物品の返却率を向上させるようにする。【解決手段】出荷者２から入荷者３に向けて物品１が出荷されるとき、物品１の各ＩＤタグ７が記憶する識別情報Ｄと関連付けて物品１の出荷情報Ｅをそれぞれ読み取る読取器９を設ける。出、入荷者２，３以外の第三者１５から出荷者２に物品１が返却Ｃされたとき、返却Ｃされた物品１のＩＤタグ７が記憶する識別情報Ｄと関連付けて物品１の返却情報Ｆを読み取る他の読取器１３を設ける。両読取器９，１３によりそれぞれ読み取られた物品１の出荷、返却情報Ｅ，Ｆにより返却Ｃされた物品１が入荷者３から出荷Ａされて第三者１５に入荷された、という入荷情報Ｇを、物品１のＩＤタグ７が記憶する識別情報Ｄと関連付けて生成し、これを格納する格納手段１０を設ける。【選択図】図１
2012053682.tif 000002
【特許請求の範囲】
【請求項１】
出荷者から入荷者に向けて出荷された後、上記出荷者に返却されることが予定されている各物品が、それぞれその物品自体の識別情報を記憶するＩＤタグを有し、上記出荷者から入荷者に向けて物品が出荷されるとき、これら物品の各ＩＤタグが記憶する識別情報と関連付けてこれら物品の出荷情報をそれぞれ読み取る読取器を備えた物品流通管理システムにおいて、
上記出、入荷者以外の第三者から上記出荷者に物品が返却されたとき、この返却された物品のＩＤタグが記憶する識別情報と関連付けてこの物品の返却情報を読み取る他の読取器と、上記両読取器によりそれぞれ読み取られた物品の上記出荷、返却情報により上記返却された物品が上記入荷者から出荷されて上記第三者に入荷された、という入荷情報を、この物品のＩＤタグが記憶する識別情報と関連付けて生成し、これを格納する格納手段とを備えたことを特徴とする物品流通管理システム。
【請求項２】
上記格納手段に上記入荷者が有する端末が接続され、この端末を介し上記格納手段に格納された上記入荷情報が上記入荷者に提供可能とされたことを特徴とする請求項１に記載の物品流通管理システム。
【請求項３】
上記物品が、荷物の輸送のために適用されるパレット、台車、箱体、およびフレキシブルコンテナのうち、少なくともいずれか一つであることを特徴とする請求項１、もしくは２に記載の物品流通管理システム。
【発明の詳細な説明】
【技術分野】
【０００１】
本発明は、出荷者から入荷者に向けて出荷された後、上記出荷者に返却されることが予定されているレンタルパレットなど物品についての物品流通管理システムに関するものである。
【背景技術】
【０００２】
上記物品流通管理システムには、従来、下記特許文献１に示されるものがある。この公報のものによれば、出荷者から入荷者に向けて出荷された後、上記出荷者に返却されることが予定されている各物品が、それぞれその物品自体の識別情報を記憶するＩＤタグを有している。また、上記出荷者から入荷者に向けて物品が出荷されるとき、これら物品の各ＩＤタグが記憶する識別情報と関連付けてこれら物品の出荷情報をそれぞれ読み取る読取器が設けられている。
【０００３】
そして、上記出荷者から入荷者に向けて出荷された物品が、この入荷者から直接返却と間接返却とにかかわらず、上記出荷から所定期間内に上記出荷者に返却された場合には、上記出荷者により、上記物品の上記出荷情報が消去されて、この物品は所定期間内に出荷者に回収されたものとして取り扱われる。
【０００４】
一方、上記出荷者から入荷者に向けて出荷された物品が、上記出荷から所定期間内に出荷者に返却されなかった場合には、契約上、一般に、入荷者は出荷者に対し、返却遅延料や紛失料など賠償額を支払うこととされる。
【先行技術文献】
【特許文献】
【０００５】
【特許文献１】特開２００４−１４９２３０号公報
【発明の概要】
【発明が解決しようとする課題】
【０００６】
ここで、上記出荷者から入荷者に向けて出荷された物品は、上記出荷者に対し出荷から所定期間内に返却されることが一般的である。しかし、上記入荷者に向けて出荷された物品は、この物品を適用している荷物を必要とする上記入荷者の関連会社や工場など第三者に対し上記荷物と共に転用されることがある。
【０００７】
そして、上記のように物品が転用された場合には、出荷から返却に至るまでの物品の流通経路が複雑となる。このため、この流通経路の途中で物品が停滞したり、紛失したりするなどして、上記出荷から所定期間内で返却される物品の返却率が低下しがちとなる。そして、上記所定期間内に返却されなかった物品については、入荷者から出荷者に対し前記賠償額を支払うことにより契約上は処理されるが、このような処理の発生は、出、入荷者による通常の商取引を阻害するものであって、双方にとって好ましくない。
【課題を解決するための手段】
【０００８】
本発明は、上記のような事情に注目してなされたもので、本発明の目的は、出荷者から入荷者に向けて出荷された後、出荷者に返却されることが予定されている各物品につき、上記出荷から返却に至るまでの流通管理が、より高精度にできるようにして、上記出荷から所定期間内で返却される物品の返却率を向上させるようにすることである。
【０００９】
請求項１の発明は、出荷者２から入荷者３に向けて出荷Ａされた後、上記出荷者２に返却Ｂ，Ｃされることが予定されている各物品１が、それぞれその物品１自体の識別情報Ｄを記憶するＩＤタグ７を有し、上記出荷者２から入荷者３に向けて物品１が出荷されるとき、これら物品１の各ＩＤタグ７が記憶する識別情報Ｄと関連付けてこれら物品１の出荷情報Ｅをそれぞれ読み取る読取器９を備えた物品流通管理システムにおいて、
上記出、入荷者２，３以外の第三者１５から上記出荷者２に物品１が返却Ｃされたとき、この返却Ｃされた物品１のＩＤタグ７が記憶する識別情報Ｄと関連付けてこの物品１の返却情報Ｆを読み取る他の読取器１３と、上記両読取器９，１３によりそれぞれ読み取られた物品１の上記出荷、返却情報Ｅ，Ｆにより上記返却Ｃされた物品１が上記入荷者３から出荷されて上記第三者１５に入荷された、という入荷情報Ｇを、この物品１のＩＤタグ７が記憶する識別情報Ｄと関連付けて生成し、これを格納する格納手段１０とを備えたことを特徴とする物品流通管理システムである。
【００１０】
請求項２の発明は、上記格納手段１０に上記入荷者３が有する端末１７が接続され、この端末１７を介し上記格納手段１０に格納された上記入荷情報Ｇが上記入荷者３に提供可能とされたことを特徴とする請求項１に記載の物品流通管理システムである。
【００１１】
請求項３の発明は、上記物品１が、荷物５の輸送のために適用されるパレット、台車、箱体、およびフレキシブルコンテナのうち、少なくともいずれか一つであることを特徴とする請求項１、もしくは２に記載の物品流通管理システムである。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、出荷者から入荷者に向けて出荷された後、上記出荷者に返却されることが予定されている各物品が、それぞれその物品自体の識別情報を記憶するＩＤタグを有し、上記出荷者から入荷者に向けて物品が出荷されるとき、これら物品の各ＩＤタグが記憶する識別情報と関連付けてこれら物品の出荷情報Ｅをそれぞれ読み取る読取器を備えた物品流通管理システムにおいて、
上記出、入荷者以外の第三者から上記出荷者に物品が返却されたとき、この返却された物品のＩＤタグが記憶する識別情報と関連付けてこの物品の返却情報を読み取る他の読取器と、上記両読取器によりそれぞれ読み取られた物品の上記出荷、返却情報により上記返却された物品が上記入荷者から出荷されて上記第三者に入荷された、という入荷情報を、この物品のＩＤタグが記憶する識別情報と関連付けて生成し、これを格納する格納手段とを備えている。
【００１５】
このため、上記のように生成された入荷情報が入荷者に提供されれば、この入荷者は上記入荷情報を利用することにより、出荷者から入荷者に向けて出荷された物品がどのような流通経路を通って出荷者に返却されるのかを、より正確に知ることができる。そして、これに基づき、例えば、入荷者は、物品の返却について、上記第三者への指導を強化することにより、物品の流通管理を、より高精度にすることができる。
【００１６】
よって、上記した高精度の物品の流通管理により、出荷から所定期間内で返却される物品の返却率を向上させることができ、これは、出荷者と入荷者との互いの商取引上の信頼関係を向上、強化できる結果となり、極めて有益である。
【００１７】
請求項２の発明は、上記格納手段に上記入荷者が有する端末が接続され、この端末を介し上記格納手段に格納された上記入荷情報が上記入荷者に提供可能とされている。
【００１８】
このため、入荷者は、この入荷者の意思により、適宜、上記入荷情報を直接入手できる。よって、この入荷情報を迅速に利用することにより、物品の流通管理を、更に高精度にすることができる。
【００１９】
請求項３の発明は、上記物品１が、荷物５の輸送のために適用されるパレット、台車、箱体、およびフレキシブルコンテナのうち、少なくともいずれか一つであるとしている。
【００２０】
ここで、上記した具体的な各物品は、それぞれ製造価格が高価であると共に、大量に準備することが要求されるものである。このため、前記したように物品の流通管理を高精度にできるようにしたことにより、上記返却率を向上させた場合には、上記物品の出荷価格を低く抑制することができる。
【図面の簡単な説明】
【００２１】
【図１】本発明に係る物品の流通経路を示す簡略図である。
【発明を実施するための形態】
【００２２】
本発明の物品流通管理システムに関し、出荷者から入荷者に向けて出荷された後、出荷者に返却されることが予定されている各物品につき、上記出荷から返却に至るまでの流通管理が、より高精度にできるようにして、上記出荷から所定期間内で返却される物品の返却率を向上させるようにする、という目的を実現するため、本発明を実施するための形態は、次の如くである。
【００２３】
即ち、物品流通管理システムにおいて、出荷者から入荷者に向けて出荷された後、上記出荷者に返却されることが予定されている各物品が、それぞれその物品自体の識別情報を記憶するＩＤタグを有している。上記出荷者から入荷者に向けて物品が出荷されるとき、これら物品の各ＩＤタグが記憶する識別情報と関連付けてこれら物品の出荷情報をそれぞれ読み取る読取器が設けられる。
【００２４】
また、上記出、入荷者以外の第三者から上記出荷者に物品が返却されたとき、この返却された物品のＩＤタグが記憶する識別情報と関連付けてこの物品の返却情報を読み取る他の読取器が設けられる。上記両読取器によりそれぞれ読み取られた物品の上記出荷、返却情報により上記返却された物品が上記入荷者から出荷されて上記第三者に入荷された、という入荷情報を、この物品のＩＤタグが記憶する識別情報と関連付けて生成し、これを格納する格納手段が設けられる。
【実施例】
【００２５】
本発明をより詳細に説明するために、その実施例を添付の図に従って説明する。
【００２６】
図において、符号１は物品で、この物品１は出荷者２から入荷者３に向けて出荷された後、この出荷から所定期間内に上記出荷者２に返却されることが予定されているものである。一般に、上記物品１は、リターナブル資材、もしくは回転資材といわれる。
【００２７】
具体的には、上記物品１は、荷物５の輸送のために適用されるレンタルパレットである。なお、上記物品１は、パレットの下面に車輪が取り付けられたカゴ台車、樹脂製のかよい箱体、および粉粒体の輸送に適したフレキシブルコンテナなどであってもよい。また、上記出荷者２は物品１の貸手、入荷者３は物品１の借手であって、これら出荷者２と入荷者３とは互いに独立した法人であるが、一つの法人の内部で互いに関連する工場などであってもよい。
【００２８】
上記各物品１は、それぞれその物品１自体の識別情報Ｄを記憶するＩＤタグ７を有している。上記識別情報Ｄとは識別番号や物品１の型式などである。これら各ＩＤタグ７は、上記識別情報Ｄを書換不能に記憶する記憶部を有している。また、上記各ＩＤタグ７は、無線通信により、これら各ＩＤタグ７が有する情報の読み出しや、これら各ＩＤタグ７への情報の書き込みが可能な公知のものである。
【００２９】
上記出荷者２から入荷者３に向けて荷物５と、この荷物５に適用された物品１とが出荷Ａされるとき、これら物品１の各ＩＤタグ７が記憶する識別情報Ｄと関連付けてこれら物品１の出荷情報Ｅをそれぞれ読み取る読取器９が設けられる。上記出荷情報Ｅは、上記ＩＤタグ７に予め書き込まれていたもので、入荷者３の名称、荷物５の品名、荷物５の数量、および出荷の日時などである。また、上記出荷情報Ｅを格納する格納手段１０が設けられている。
【００３０】
上記出荷者２から出荷された物品１が出荷者２に返却Ｂ，Ｃされたとき、この返却された物品１のＩＤタグ７が記憶する識別情報Ｄと関連付けてこれら物品１の返却情報Ｆをそれぞれ読み取る他の読取器１３が設けられる。上記返却情報Ｆは、上記出荷情報Ｅに加えて、返却者の名称や返却の日時などである。そして、この返却情報Ｆは、上記格納手段１０に格納される。
【００３１】
上記出荷者２への物品１の返却Ｂ，Ｃは、上記入荷者３から出荷者２への直接返却Ｂと、上記出荷者２以外の第三者１５からの間接返却Ｃとがある。
【００３２】
上記出荷者２から入荷者３に向けて出荷された物品１が、上記出荷から所定期間内に上記出荷者２に返却Ｂ，Ｃされたものである、と上記格納手段１０で判断された場合には、この格納手段１０に格納されていた上記物品１の上記出荷情報Ｅが消去され、その後、この物品１は所定期間内に出荷者２に回収されたものとして取り扱われる。
【００３３】
一方、上記出荷者２から入荷者３に向けて出荷された物品１が上記出荷から所定期間内に出荷者２に返却Ｂ，Ｃされなかったと上記格納手段１０で判断された場合には、契約上、入荷者３は出荷者２に対し、遅延料や紛失料など賠償額を支払うこととされる。
【００３４】
前記した出荷者２から入荷者３に向けての物品１の出荷情報Ｅと、上記返却Ｂ，Ｃされた物品１のうち、上記第三者１５から出荷者２に間接返却Ｃされた物品１についての返却情報Ｆとにより、この物品１は上記出荷者２から出荷されて上記第三者１５に入荷された、という入荷情報Ｇが、この物品１のＩＤタグ７が記憶する識別情報Ｄと関連付けて上記格納手段１０で生成される。また、この生成されたデータが、この格納手段１０に格納される。上記返却情報Ｆは、上記第三者１５から出荷者２に所定期間内で間接返却Ｃされたものと、上記第三者１５から出荷者２に所定期間外で間接返却Ｃされたものとを含んでいる。
【００３５】
上記格納手段１０に上記入荷者３が有する端末１７がインターネットを介し接続されている。この端末１７はディスプレイとキーボードとを備えている。そして、この端末１７のキーボードへの操作により、上記格納手段１０の入荷情報Ｇが上記入荷者３に提供可能とされている。
【００３６】
なお、上記入荷者３から第三者１５への物品１の流通経路は、入荷者３から一旦他の第三者に向けて出荷した後、この他の第三者から上記第三者１５に向けて出荷したものであってもよい。
【００３７】
上記構成によれば、出、入荷者２，３以外の第三者１５から上記出荷者２に物品１が返却Ｃされたとき、この返却Ｃされた物品１のＩＤタグ７が記憶する識別情報Ｄと関連付けてこの物品１の返却情報Ｆを読み取る他の読取器１３と、両読取器９，１３によりそれぞれ読み取られた物品１の上記出荷、返却情報Ｅ，Ｆにより上記返却Ｃされた物品１が上記入荷者３から出荷されて上記第三者１５に入荷された、という入荷情報Ｇを、この物品１のＩＤタグ７が記憶する識別情報Ｄと関連付けて生成し、これを格納する格納手段１０とを備えている。
【００３８】
このため、上記入荷情報Ｇが入荷者３に提供されれば、この入荷者３は上記入荷情報Ｇを利用することにより、出荷者２から入荷者３に向けて出荷された物品１がどのような流通経路を通って出荷者２に返却されるのかを、より正確に知ることができる。そして、これに基づき、例えば、入荷者３は、物品１の返却について、上記第三者１５への指導を強化することにより、物品の流通管理を、より高精度にすることができる。
【００３９】
よって、上記した高精度の物品の流通管理により、出荷から所定期間内で返却される物品１の返却率を向上させることができ、これは、出荷者２と入荷者３との互いの商取引上の信頼関係を向上、強化できる結果となり、極めて有益である。
【００４０】
また、前記したように、格納手段１０に入荷者３が有する端末１７が接続され、この端末１７を介し上記格納手段１０に格納された入荷情報Ｇが上記入荷者３に提供可能とされている。
【００４１】
このため、入荷者３は、この入荷者３の意思により、適宜、上記入荷情報Ｇを直接入手できる。よって、この入荷情報Ｇを迅速に利用することにより、物品１の流通管理を、更に高精度にすることができる。
【００４２】
また、前記したように、上記物品１が、荷物５の輸送のために適用されるパレット、台車、箱体、およびフレキシブルコンテナのうち、少なくともいずれか一つであるとしている。
【００４３】
ここで、上記した具体的な各物品１は、それぞれ製造価格が高価であると共に、大量に準備することが要求されるものである。このため、前記したように物品１の流通管理を高精度にできるようにしたことにより、上記返却率を向上させた場合には、上記物品１の出荷価格を低く抑制することができる。
【００４４】
なお、上記読取器９と他の読取器１３とは一体的なものであってもよく、ＩＤタグ７への書き込みが可能な機能を有していてもよい。
【符号の説明】
【００４５】
１    物品
２    出荷者
３    入荷者
５    荷物
７    ＩＤタグ
９    読取器
１０  格納手段
１３  読取器
１５  第三者
１７  端末
Ａ    出荷
Ｂ    返却
Ｃ    返却
Ｄ    識別情報
Ｅ    出荷情報
Ｆ    返却情報
Ｇ    入荷情報
【図１】
2012053682.tif 000003